(57)【要約】  軸受は、内面を含む内径と外面を含む外径を有する軸受の縦軸に沿って形成された軸方向チャネル及びチャネルの内径の内面上に形成された少なくとも１つのダム領域を含み、ダム領域はチャネルの縦軸を中心に９０度〜１８０度の変形された三日月形を含む。【選択図】  図１Ａ
2019504974.tif 000002
【特許請求の範囲】
【請求項１】
内面を含む内径と外面を含む外径を有する軸受の縦軸に沿って形成された軸方向チャネル及び前記チャネルの前記内径の前記内面上に形成された少なくとも１つのダム領域を含む軸受を含み、前記ダム領域は、前記チャネルの前記縦軸を中心に９０度〜１８０度の変形された三日月形を含む、製品。
【請求項２】
前記軸受は、流体膜をさらに含み、前記ダム領域は、軸方向流体膜流動変形を提供するように構成及び配置される、請求項１に記載の製品。
【請求項３】
前記軸受は、半浮動式軸受を含む、請求項１に記載の製品。
【請求項４】
前記軸受は、全浮動式軸受を含む、請求項１に記載の製品。
【請求項５】
前記ダム領域は、前記内径の前記内面内に切削された環状溝を含む、請求項１に記載の製品。
【請求項６】
前記軸受は、車両のターボチャージャーの構成部品である、請求項１に記載の製品。
【請求項７】
前記ダム領域の軸方向長さは、前記軸受の軸方向長さの４０％〜８０％である、請求項１に記載の製品。
【請求項８】
前記流体膜は、油を含む、請求項２に記載の製品。
【請求項９】
前記軸受は、前記内径の前記内面に沿って１２０度の間隔で環状に離隔された３つのダム領域を含む、請求項１に記載の製品。
【請求項１０】
前記軸受は、円筒状形状を含む、請求項１に記載の製品。
【請求項１１】
方法であって、
ローター、内面を含む内径と外面を含む外径を有する軸受の縦軸に沿って形成された軸方向チャネル及び前記チャネルの前記内径の前記内面上に形成された少なくとも１つのダム領域を含む軸受であって、前記ダム領域が前記チャネルの前記縦軸を中心に９０度〜１８０度の変形された三日月形を含む、軸受、及び前記ローターと前記軸受との間の流体膜を含む、軸受アセンブリを提供するステップと、
前記ダム領域が軸方向流体膜流動変形を提供するように前記軸受内で前記ローターを回転させるステップと、を含む方法。
【請求項１２】
前記軸受は、半浮動式軸受を含む、請求項１に記載の方法。
【請求項１３】
前記軸受は、全浮動式軸受を含む、請求項１に記載の方法。
【請求項１４】
前記ダム領域は、前記内径の前記内面内に切削された環状溝を含む、請求項１に記載の方法。
【請求項１５】
前記軸受は、車両のターボチャージャーの構成部品である、請求項１に記載の方法。
【請求項１６】
前記ダム領域の軸方向長さは、前記軸受の軸方向長さの４０％〜８０％である、請求項１に記載の方法。
【請求項１７】
前記軸受は、前記内径の前記内面に沿って１２０度の間隔で環状に離隔された３つのダム領域を含む、請求項１に記載の方法。
【請求項１８】
前記軸受は、円筒形状を含む、請求項１に記載の方法。
【請求項１９】
方法であって、
内面を含む内径と外面を含む外径を有する軸受の縦軸に沿って形成された軸方向チャネルを含む軸受を提供するステップと、
前記チャネルの前記内面上に形成された少なくとも１つのダム領域を提供するように前記内面を機械加工するステップと、を含み、前記ダム領域は、前記チャネルの前記縦軸を中心に９０度〜１８０度の変形された三日月形を含む、方法。
【請求項２０】
前記少なくとも１つのダム領域を提供するように前記内径を機械加工するステップは、限定された半径方向機械加工経路を介して機械加工するステップをさらに含む、請求項１８に記載の方法。
【発明の詳細な説明】
【技術分野】
【０００１】
［関連出願の相互参照］
本出願は、２０１６年２月２日に出願された米国仮出願第６２／２９０，１１１号の利益を主張する。
【０００２】
本開示が一般的に関係する分野は、軸受アセンブリに使用される軸受構成部品を含む。
【背景技術】
【０００３】
多数の軸受アセンブリは、ターボチャージャーを含むがこれに限定されない構成部品においてローターを円滑にするために使用され得る。
【発明の概要】
【課題を解決するための手段】
【０００４】
いくつかの変形例は、内面を含む内径と外面を含む外径とを有する軸受の縦軸に沿って形成された軸方向チャネル、及びチャネルの内径の内面上に形成された少なくとも１つのダム領域を含む軸受を含む製品を含むことができ、ダム領域は、チャネルの縦軸を中心に９０度〜１８０度の変形された三日月形を含む。
【０００５】
いくつかの変形例は、ローター、内面を含む内径と外面を含む外径とを有する軸受の縦軸に沿って形成された軸方向チャネル、及びチャネルの内径の内面上に形成された少なくとも１つのダム領域を含む軸受であって、ダム領域がチャネルの縦軸を中心に９０度〜１８０度の変形された三日月形を含む、軸受、及びローターと軸受との間の流体膜を含む軸受アセンブリを提供するステップと、ダム領域が軸方向の流体膜の流動変形を提供するように軸受内でローターを回転させるステップと、を含む方法を含むことができる。
【０００６】
いくつかの変形例は、内面を含む内径と外面を含む外径を有する軸受の縦軸に沿って形成された軸方向チャネルを含む軸受を提供するステップと、チャネルの内面上に形成された少なくとも１つのダム領域を提供するように内面を機械加工するステップと、を含む方法を含むことができ、ダム領域は、チャネルの縦軸を中心に９０度〜１８０度の変形された三日月形を含む。
【０００７】
本発明の範囲内の他の例示的な変形例は、以下に提供される詳細な説明から明らかになるであろう。詳細な説明及び具体例は、本発明の範囲内の変形例を開示しているが、単なる例示の目的のためのものであり、本発明の範囲を限定しようとする意図ではないことを理解すべきである。
【図面の簡単な説明】
【０００８】
本発明の範囲内の変形例の選択的な実施例は、詳細な説明及び添付図面からより完全に理解されるであろう。
【図１】図１は、いくつかの変形例による製品の軸方向図を示す。
【図１Ａ】図１Ａは、いくつかの変形例による製品の半径方向断面図を示す。
【図１Ｂ】図１Ｂは、いくつかの変形例による製品の半径方向断面図を示す。
【図２Ａ】図２Ａは、いくつかの変形例による製品の軸方向図を示す。
【図２Ｂ】図２Ｂは、いくつかの変形例による製品の軸方向図を示す。
【図３Ａ】図３Ａは、いくつかの変形例による製品の軸方向図及び透視半径方向断面図を示す。
【図３Ｂ】図３Ｂは、いくつかの変形例による製品の軸方向図及び半径方向断面図を示す。
【図３Ｃ】図３Ｃは、いくつかの変形例による製品の２つの軸方向断面図及び透視半径方向断面図を示す。
【発明を実施するための形態】
【０００９】
変形例に対する以下の説明は、本質的に単なる例示的なものであり、本発明の範囲、その適用または用途を決して限定しようとする意図ではない。
【００１０】
図１は、いくつかの変形例による製品１０を示す。いくつかの変形例において、製品１０は、軸受１２を含むことができる。いくつかの変形例において、軸受１２は、軸受アセンブリ１１の構成部品であり得る。いくつかの変形例において、軸受１２は、主軸または縦軸１３を含むことができる。いくつかの変形例において、軸受１２は、軸受長さＬを含むことができる。いくつかの変形例において、軸受１２は、半径方向軸１５を含むことができる。いくつかの変形例において、軸受１２は、軸受１２の主軸または縦軸１３に沿って形成されたチャネル１４を含むことができる。いくつかの変形例において、チャネル１４または軸受１２は、内径Ｒ１を有することができ、内径Ｒ１は、半径方向軸１５に沿って軸受１２においてチャネル１４の内面１６と接することができる。いくつかの変形例において、チャネル１４または軸受１２は、外径Ｒ２を有することができ、外径Ｒ２は、半径方向軸１５に沿って軸受１２の外面１８を含むことができる。いくつかの変形例において、軸受１２は、少なくとも１つのダム領域２０を含むことができる。いくつかの変形例において、ダム領域２０は、チャネル１４または軸受１２の内径Ｒ１の内面１６上に形成され得る。いくつかの変形例において、ダム領域２０は、変形された三日月形を含むことができる。いくつかの変形例において、変形された三日月形の幾何学的構造は、チャネル１４の内径Ｒ１が漸減する少なくとも１つの領域を有し、チャネル１４の変形された三日月形の最小内径Ｒ１の少なくとも１つの頂点または領域が後続され、チャネル１４の内径Ｒ１が漸増する少なくとも１つの領域が後続されるものとして定義され得る。いくつかの変形例において、変形された三日月形の幾何学的構造は、チャネル１４の内径Ｒ１が漸減する１つの領域を有し、チャネル１４の変形された三日月形の最小内径Ｒ１の１つの頂点または領域が後続され、チャネル１４の内径Ｒ１が漸増する１つの領域が後続されるものとして定義され得る。いくつかの変形例において、変形された三日月形の幾何学的構造は、複数の各々の領域及び／または複数の頂点を含むことができる。いくつかの変形例において、ダム領域２０は、チャネル１４の縦軸を中心に９０度〜１８０度に位置し得る。いくつかの変形例において、軸受１２は、複数のダム領域２０を含むことができる。いくつかの変形例において、軸受アセンブリ１１は、ローター３０をさらに含むことができる。いくつかの変形例において、ローター３０は、軸受１２のチャネル１４内に少なくとも部分的に収容され得る。いくつかの変形例において、ローター３０は、軸受内に形成されたチャネル１４の縦軸を中心に時計回りまたは反時計回りの方向に軸受内で回転することができる。いくつかの変形例において、軸受アセンブリ１１は、流体膜３２をさらに含むことができる。いくつかの変形例において、流体膜３２は、油、ガソリン、灯油、ジェット燃料、水、冷却剤のうちの少なくとも１つを含むことができ、または他のタイプであり得る。いくつかの変形例において、流体膜３２は、軸受１２のチャネル１４内に少なくとも部分的に収容され得る。いくつかの変形例において、流体膜３２は、ローター３０の回転が軸受アセンブリ１１内に流体膜３２の軸方向の流体流動プロファイルを生成するのに伴って、軸受アセンブリ１１において軸受１２とローター３０の回転との間の摩擦を減少させることができる。いくつかの変形例において、ローター３０が軸受１２内で回転することにより、ローター３０と軸受１２との間に圧力場が発生する。いくつかの変形例において、これらの圧力場は、ローター３０と軸受１２との間に交差結合された剛性を発生させることができる。いくつかの変形例において、これらの交差結合された剛性は、軸受１２内においてローター３０のホワーリング（ｗｈｉｒｌｉｎｇ）をもたらすことができる。いくつかの変形例において、これは、軸受１２内でローター３０の準同期（ｓｕｂ  ｓｙｎｃｈｒｏｎｏｕｓ）運動をもたらし、耐久性を減少させ、軸受アセンブリ１１の好ましくない騷音特性を生成すると同時に、回転中に振動騷音を増加させることができる。いくつかの変形例において、ダム領域２０は、流体膜流動プロファイル変形を提供するように構成及び配置され得る。いくつかの変形例において、流体流動プロファイル変形は、軸受アセンブリ１１の適用例に応じて、軽い静的荷重及び高いｒｐｍで安定したローター応答をもたらすより大きい静的偏心及び減少された交差結合剛性をもたらす流体流動プロファイルとして定義され得る。
【００１１】
いくつかの変形例において、軸受１２または軸受アセンブリ１１は、ターボチャージャーの構成部品であり得る。いくつかの変形例において、ターボチャージャーは、車両の構成部品であることができ、車両内のエンジンシステムの出力を増加させることができる。いくつかの変形例において、車両は、自動車、船舶、宇宙船、航空機を含むことができ、または他のタイプであり得る。いくつかの変形例において、軸受１２または軸受アセンブリ１１は、半浮動式（ｓｅｍｉ−ｆｌｏａｔｉｎｇ）軸受であり得る。いくつかの変形例において、軸受１２または軸受アセンブリ１１は、全浮動式（ｆｕｌｌｙ−ｆｌｏａｔｉｎｇ）軸受であり得る。いくつかの変形例において、軸受１２または軸受アセンブリ１１は、ジャーナル軸受、ブシング、スリーブ軸受、ライフル（ｒｉｆｌｅ）軸受、標準円筒ボア軸受、プロファイルジャーナル軸受、楕円軸受、マルチローブテーパランド軸受、オフセットボア軸受、ローラスラスト軸受、ボールスラスト軸受、ローラー軸受、ボール軸受、磁気軸受、湾曲軸受、それらの組み合わせ、または他のタイプであり得る。いくつかの変形例において、軸受１２または軸受アセンブリ１１は、垂直傾斜型固定式幾何学的構造軸受、水平傾斜型固定式幾何学的構造軸受、ティルティングハウジング軸受、上部ティルト型ハーフ軸受、傾斜型圧力ダム軸受、傾斜型マルチローブ軸受、収束発散軸受、発散収束軸受、収束軸受、発散軸受、及び軸方向ティルティングバッド軸受、それらの変形または組み合わせを含む流体膜軸受を含むことができ、または他のタイプであり得る。
【００１２】
いくつかの変形例において、軸受１２は、円筒形状を有することができる。いくつかの変形例において、軸受１２は、切頭円錐台形状を有することができる。いくつかの変形例において、軸受１２は、円形、三角形、平行四辺形、正方形、菱形、五角形、五芒星、六角形、多角形を含むがこれらに限定されない断面形状プロファイルを有することができ、または他の形状であり得る。いくつかの変形例において、軸受１２は、中空半円錐、中空正方体、中空直方体、多角形の断面を有する中空３−Ｄ形状、中空半角錐、中空角柱を含むが、これに限定されないその所望の適用例に適合する多数の異なる形状であり得るか、または他のタイプであり得る。いくつかの変形例において、軸受１２は、その長さに沿ってテーパー型であり得る。いくつかの変形例において、軸受１２は、その長さに沿った地点でより狭い断面に対して充填され得る。いくつかの変形例において、軸受１２は、その所望の適用例に適合するように構成され得る。
【００１３】
いくつかの変形例において、軸受アセンブリ１１のすべての構成部品は、軸受１２またはローター３０が含み得る構成部品（金属、高分子）で製造することができる。いくつかの変形例において、軸受アセンブリ１１の部品は、これに限定されないが、プラスチックスチール、ステンレス鋼、銅、ニッケル、スズ、貴金属、亜鉛、鉄、青銅、アルミニウム、シリコーン、チタン、白金、セラック、アンバー、アラミド（トワロン、ケブラー、テクノーラ、ノ−メックスを含む）、シルク、皮革、ゴム、天然ゴム、合成ゴム、シリコーンゴム、プルオロエラストマーゴム、ブチルゴム（イソブチレン−イソプレン）、ハイパロンゴム（クロロスルホン化ポリエチレン）、エピクロロヒドリンゴム（エピクロロヒドリン）、エチレンプロピレンジエンゴム、フルオロカーボンゴム、フルオロシリコーンゴム、水素化ニトリルゴム、ニトリルゴム、パーフルオロエラストマーゴム、ポリアクリルゴム、クロロプレンゴム、ポリウレタンゴム、スチレンブタジエンゴム、アクリロニトリル−ブタジエンゴム、水素化アクリロニトリル−ブタジエンゴム、エチレンアクリルゴム、フェノールホルムアルデヒド、ポリエーテルウレタン、ポリエステルウレタン、ネオプレン、ナイロン、ポリ塩化ビニル、ポリスチレン、ポリエチレン、ポリプロピレン、ポリウレタン、ポリベンゾイミダゾール、ポリアクリロニトリル、ＰＶＢ、シリコーン、バイオプラスチック、テフロン（登録商標）、ＰＥＴ、ＰＰ、ＰＶＤＣ、ＰＡ  ＰＴＦＥ、ＰＥＯ、ＰＰＹ、ＰＡＮＩ、ＰＴ、ＰＰＳ、ＰＰＶ、ＰＡＣ、ポリエステル、ビニル重合体、ポリオレフイン、ポリアセチレン、フェノール樹脂、ポリ無水物、エポキシ、フェノール類、ポリイミド、ＰＥＥＫ、アルミナ、ベリリア、セリア、ジルコニア、炭化物、ホウ化物、窒化物、ケイ化物、磁器、粘土、石英、アラバスター、ガラス、カオリン、長石、ステアタイト、ペツンツェ（ｐｅｔｕｎｔｓｅ）、フェライト、土器、ＰＺＴ、アルパカ、アンゴラ、足糸、キャメルヘアー、カシミヤ、カットグット、チェンゴラ（ｃｈｉｅｎｇｏｒａ）、グアナコ、ラマ、皮革、モヘア、パシュミナ、キヴィュート（ｑｉｖｉｕｔ）、ウサギ、シルク、腱（ｓｉｎｅｗ）、スパイダーシルク、ウール、ビクーナ、ヤク、アバカ'、バガス、バルサ、竹、コイア、コットン、亜麻、大麻、黄麻、カポック、ケナフ、ピナ、ラフィア、ラミー、サイザル、木材、石綿、アセテート、トリアセテート、アートシルク、リヨセルレーヨン、モーダルレーヨン、レーヨン、ガラス、シリカ、炭素、玄武岩、金属、アクリル、マイクロファイバー、モダクリル、ナイロン、オレフイン、ポリエステル、ポリエチレン、スパンデックス、ビニロン、ビニオン、ザイロン、サラン、炭素繊維強化重合体、炭素繊維強化プラスチック、炭素繊維強化熱可塑性、または炭素ナノチューブ強化重合体、または炭素ナノチューブ強化重合体、繊維強化重合体、繊維ガラス（Ｅ−ガラス、Ａ−ガラス、Ｅ−ＣＲ−ガラス、Ｃ−ガラス、Ｄ−ガラス、Ｒ−ガラス、Ｆ−ガラス、Ｓ−ガラス、Ｓ−２−ガラス、ヘクセル（Ｈｅｘｅｌ）を含むか、または他のタイプであり得る）、金属合金、［黄銅］、それらの組み合わせを含むことができ、または他のタイプであり得る。
【００１４】
いくつかの変形例において、図１及び図２に示されたように、軸受１２は、縦軸１３に沿ってその縦方向に沿う多数の異なる領域を含むことができる。いくつかの変形例において、軸受１２は、第１縦方向軸受領域５０を含むことができる。いくつかの変形例において、図１、図２Ａ、図２Ｂ及び図３Ｃに示されたように、軸受１２は、第２縦方向軸受領域５２を含むことができる。いくつかの変形例において、軸受１２は、第３縦方向軸受領域５４を含むことができる。いくつかの変形例において、第２縦方向軸受領域５２は、第１縦方向軸受領域５０または第３縦方向軸受領域５４のうちのいずれよりも小さな外径Ｒ２及びより大きな内径Ｒ１を有することができる。いくつかの変形例において、第２縦方向軸受領域５２は、第１縦方向軸受領域５０または第３縦方向軸受領域５４のうちのいずれよりも大きな外径Ｒ２及びより小さな内径Ｒ１を有することができる。いくつかの変形例において、第２縦方向軸受領域５２は、第１縦方向軸受領域５０または第３縦方向軸受領域５４のうちのいずれかと同じ外径Ｒ２及び／または同じ内径Ｒ１を有することができる。いくつかの変形例において、第１縦方向軸受領域５０、第２縦方向軸受領域５２、または第３縦方向軸受領域５４のうちの少なくとも１つは、軸受１２の外面１８内に切削された少なくとも１つの外面溝６０を含むことができる。いくつかの変形例において、これらの外面溝６０は、縦軸１３に沿って切削され得る。いくつかの変形例において、これらの外面溝６０は、半径方向軸１５に沿って切削され得る。いくつかの変形例において、外面溝６０は、軸受１２の縦軸１３に沿って任意の地点で軸受１２の外面１８の周りの環状方向に０≧Ｘ≧３６０゜の任意の位置で切削され得る。いくつかの変形例において、外面溝６０は、軸受１２の少なくとも一部分を縦方向１３に縮小させることができる。いくつかの変形例において、図４に示されたように、第１縦方向軸受領域５０、第２縦方向軸受領域５２、または第３縦方向軸受領域５４のうちの少なくとも１つは、軸受１２の内面１６内に切削された少なくとも１つの内面溝６２を含むことができる。いくつかの変形例において、これらの内面溝６２は、縦軸１３に沿って切削され得る。いくつかの変形例において、これらの内面溝６２は、半径方向軸１５に沿って切削され得る。いくつかの変形例において、内面溝６２は、軸受１２の縦軸１３に沿って任意の地点で軸受１２の内面１６の周りの環状方向に０≧Ｘ≧３６０゜の任意の位置で切削され得る。いくつかの変形例において、内面溝６２は、内径Ｒ１の内面１６内に切削された環状溝を含むことができる。いくつかの変形例において、内面溝６２は、軸受１２の少なくとも一部分を縦方向１３に縮小させることができる。いくつかの変形例において、図３に示されたように、軸受は、軸受１２の外面１８内に切削され、チャネル１４を通って延びるボア７０を含むことができる。いくつかの変形例において、ボア７０は、軸受１２の２つの外面１８、１８’を通って切削され、軸受１２に穴７１を形成することができる。いくつかの変形例において、ボア７０または穴７１は、軸受１２の半径方向軸１５に平行することがある。いくつかの変形例において、ボア７０または穴７１は、軸受１２の半径方向軸１５）からオフセットされ得る。いくつかの変形例において、図３に示されたように、軸受１２は、縦軸１３に沿って軸受１２の長さＬに沿う様々な内径Ｒ１を有することができる。図３Ａは、半浮動式軸受１２の非限定的な例を示す。図３Ｂは、全浮動式軸受１２の非限定的な例を示す。図３Ｃは、浮動式ブシングの図と共に、全浮動式軸受１２の非限定的な例を示す。
【００１５】
いくつかの変形例において、ダム領域２０は、変形された三日月形を含むことができる。図１Ａ及び図１Ｂに示されたように、少なくとも１つのダム領域２０は、様々な位置で軸受１２の内面１６の周りに含まれることができる。いくつかの変形例において、図１Ｂに示されたように、軸受１２は、内径Ｒ１の内面１８に沿って１２０度の間隔で環状に離隔された３つのダム領域２０を含むことができる。いくつかの変形例において、ダム領域２０は、長さＤ１のダム頂点振幅を有することができる。いくつかの変形例において、ダム領域２０は、円弧長さＤ２を有することができる。いくつかの変形例において、ダム領域２０は、Ｄ３の軸方向長さを有することができる。いくつかの変形例において、軸長さは、軸受長さＬの４０％≧ｘ≧８０％である。いくつかの変形例において、変形された三日月形は、切頭三日月形を含むことができる。いくつかの変形例において、変形された三日月形は、円形、三角形、平行四辺形、正方形、菱形、五角形、五芒星、六角形、多角形を含むがこれらに限定されない半径方向１５の２次元断面形状を含むことができ、または他の形状であり得る。いくつかの変形例において、ダム領域２０は、半径方向１５において内面１６に沿って突出することができる。いくつかの変形例において、ダム領域２０は、半径方向１５に内面１６に沿って陷沒され得る。いくつかの変形例において、図３Ｃに示されたように、ダム領域２０は、内面溝６２を含むことができる。
【００１６】
いくつかの変形例において、軸受１２または軸受アセンブリ１１は、機械加工によって製造され得る。いくつかの変形例において、軸受１２または軸受アセンブリ１１は、金属成形、鍛造、成形、流動成形、圧延、押出、レーザクラッディング、金属加工、焼結、ファブリケーション、熔接、成形、ロウ付け、鋳造、押出、鍛造、熱処理、液圧成形、パンチング、剪断加工、スピニングによって形成され得るか、または他の方式で形成され得る。いくつかの変形例において、チャネル１４内部の内径Ｒ１の内面１６は、少なくとも１つのダム領域２０を形成するように機械加工され得る。いくつかの変形例において、内径Ｒ１の機械加工は、機械加工経路に沿って実行され得る。いくつかの変形例において、機械加工経路は、金属成形、鍛造、成形、流動成形、圧延、押出、レーザクラッディング、金属加工、焼結、ファブリケーション、熔接、成形、ロウ付け、鋳造、押出、鍛造、熱処理、液圧成形、パンチング、剪断加工、スピニング、スピニング、スナッピング、製材（ｓａｗｉｎｇ）、ロールスリッティング、リーミング、プラズマ切断、パンチプレス、ミリングカッタ、ジグソー（ｊｉｇｓａｗ）、レーザー切断、チャンバリーマー、ダイヤモンドツーリング、ダイ、ドレメル（ｄｒｅｍｅｌ）、ホールリング（ｈｏｌｉｎｇ）、鉄加工、カウンターボーリング、カウンターシンク、ブローチング、バーリング加工（ｂｕｒｒｉｎｇ）のうちの少なくとも１つを介して形成され得るか、または他の方式で形成され得る。いくつかの変形例において、ダム領域２０は、半径方向により短い機械加工経路に沿って形成され得る。いくつかの変形例において、ダム領域２０は、大型機械加工ツールを使用して形成され得る。いくつかの変形例において、これは、変形された三日月形を含まない他のダム領域に比べて、軸受１２においてダム領域２０を形成する効率を増加させることができる。
【００１７】
いくつかの変形例において、方法８００が示される。いくつかの変形例において、方法８００は、ローター３０、内面１６を含む内径Ｒ１と外面１８を含む外径Ｒ２を有する軸受１２の縦軸１３に沿って形成された軸方向チャネル１４及びチャネル１４の内面１６上に形成された少なくとも１つのダム領域２０を含む軸受１２であって、ダム領域２０がチャネル１４の縦軸１３を中心に９０度〜１８０度の変形された三日月形を含む、軸受１２、及びローター３０と軸受１２との間の流体膜３２を含む軸受アセンブリ１１を提供するステップをブロック８０２において含むことができる。いくつかの変形例において、方法８００は、ダム領域２０が軸方向流体膜流動変形を提供するように、軸受１２内でローター３０を回転させるステップをブロック８０４においてさらに含むことができる。
【００１８】
いくつかの変形例において、方法９００が示される。いくつかの変形例において、方法９００は、内面１６を含む内径Ｒ１と外面１８を含む外径Ｒ２を有する軸受１２の縦軸１３に沿って形成された軸方向チャネル１４を含む軸受１２を提供するステップをブロック９０２において含むことができる。いくつかの変形例において、方法９００は、チャネル１４の内面１６上に形成された少なくとも１つのダム領域２０を提供するように内面１６を機械加工するステップをブロック９０４においてさらに含むことができ、ダム領域２０は、チャネル１４の縦軸１３を中心に９０度〜１８０度の変形された三日月形を含む。
【００１９】
以下の変形例の説明は、本発明の範囲内に属するものと見なされる構成部品、構成要素、動作、製品及び方法の単なる例示に過ぎず、具体的に開示されるか、または明示的に記載されていないことによって、その範囲を任意の方式に限定しようとする意図ではない。本明細書に記載された構成部品、構成要素、動作、製品及び方法は、本明細書に明示的に記載されたもの以外での組み合わせ及び再配置されることができ、依然として本発明の範囲内にあるものと見なされる。
【００２０】
変形例１は、内面を含む内径と外面を含む外径を有する軸受の縦軸に沿って形成された軸方向チャネル及びチャネルの内径の内面上に形成された少なくとも１つのダム領域を含む軸受を含む製品を含むことができ、ダム領域は、チャネルの縦軸を中心に９０度〜１８０度の変形された三日月形を含む。
【００２１】
変形例２は、軸受が、流体膜をさらに含み、ダム領域が、軸方向流体膜流動変形を提供するように構成及び配置された、変形例１に記載の製品を含むことができる。
【００２２】
変形例３は、軸受が、半浮動式軸受を含む、変形例１または２に記載の製品を含むことができる。
【００２３】
変形例４は、軸受が、全浮動式軸受を含む、変形例１〜３のいずれか一つに記載の製品を含むことができる。
【００２４】
変形例５は、ダム領域が、内径の内面内に切削された環状溝を含む、変形例１〜４のいずれか一つに記載の製品を含むことができる。
【００２５】
変形例６は、軸受が、車両のターボチャージャーの構成部品である、変形例１〜５のいずれか一つに記載の製品を含むことができる。
【００２６】
変形例７は、ダム領域の軸方向長さが、軸受の軸方向長さの４０％〜８０％である、変形例１〜６のいずれか一つに記載の製品を含むことができる。
【００２７】
変形例８は、流体膜が、油を含む、変形例１〜７のいずれか一つに記載の製品を含むことができる。
【００２８】
変形例９は、軸受が、内径の内面に沿って１２０度の間隔で環状に離隔された３つのダム領域を含む、変形例１〜８のいずれか一つに記載の製品を含むことができる。
【００２９】
変形例１０は、軸受が、円筒状形状を含む、変形例１〜９のいずれか一つに記載の製品を含むことができる。
【００３０】
変形例１１は、ローター、内面を含む内径と外面を含む外径を有する軸受の縦軸に沿って形成された軸方向チャネル及びチャネルの内径の内面上に形成された少なくとも１つのダム領域を含む軸受であって、ダム領域がチャネルの縦軸を中心に９０度〜１８０度の変形された三日月形を含む、軸受、及びローターと軸受との間の流体膜を含む、軸受アセンブリを提供するステップと、ダム領域が軸方向流体膜流動変形を提供するように軸受内でローターを回転させるステップと、を含む方法を含むことができる。
【００３１】
変形例１２は、軸受は、半浮動式軸受を含む、変形例１１に記載の方法を含むことができる。
【００３２】
変形例１３は、軸受が、全浮動式軸受を含む、変形例１１または１２に記載の方法を含むことができる。
【００３３】
変形例１４は、ダム領域が、内径の内面内に切削された環状溝を含む、変形例１１〜１３のいずれか一つに記載の方法を含むことができる。
【００３４】
変形例１５は、軸受が、車両のターボチャージャーの構成部品である、変形例１１〜１４のいずれか一つに記載の方法を含むことができる。
【００３５】
変形例１６は、ダム領域の軸方向長さは、軸受の軸方向長さの４０％〜８０％である、変形例１１〜１５のいずれか一つに記載の方法を含むことができる。
【００３６】
変形例１７は、軸受が、内径の内面に沿って１２０度の間隔で環状に離隔された３つのダム領域を含む、変形例１１〜１６のいずれか一つに記載の方法を含むことができる。
【００３７】
変形例１８は、軸受が、円筒形状を含む、変形例１１〜１７のいずれか一つに記載の方法を含むことができる。
【００３８】
変形例１９は、内面を含む内径と外面を含む外径を有する軸受の縦軸に沿って形成された軸方向チャネルを含む軸受を提供するステップと、チャネルの内面上に形成された少なくとも１つのダム領域を提供するように内面を機械加工するステップと、を含む方法を含むことができ、ダム領域は、チャネルの縦軸を中心に９０度〜１８０度の変形された三日月形を含む。
【００３９】
変形例２０は、少なくとも１つのダム領域を提供するように内面を機械加工するステップは、限定された半径方向機械加工を介して機械加工するステップをさらに含む、変形例２０に記載の方法を含むことができる。
【００４０】
本発明の範囲内において選択された変形例の前記説明は、本質的に単なる例示的なものであり、これにより、その変形または変異は、本発明の思想と範囲から逸脱するものと見なすべきではない。
【図１】
2019504974.tif 000003
【図１Ａ】
2019504974.tif 000004
【図１Ｂ】
2019504974.tif 000005
【図２Ａ】
2019504974.tif 000006
【図２Ｂ】
2019504974.tif 000007
【図３Ａ】
2019504974.tif 000008
【図３Ｂ】
2019504974.tif 000009
【図３Ｃ】
2019504974.tif 000010
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
内面を含む内径と外面を含む外径を有する軸受の縦軸に沿って形成された軸方向チャネル及び前記チャネルの前記内径の前記内面上に形成された少なくとも１つのダム領域を含む軸受を含み、前記ダム領域は、前記チャネルの前記縦軸を中心に９０度〜１８０度の変形された三日月形を含む、製品。
【請求項２】
前記軸受は、流体膜をさらに含み、前記ダム領域は、軸方向流体膜流動変形を提供するように構成及び配置される、請求項１に記載の製品。
【請求項３】
前記軸受は、半浮動式軸受を含む、請求項１に記載の製品。
【請求項４】
前記軸受は、全浮動式軸受を含む、請求項１に記載の製品。
【請求項５】
前記ダム領域は、前記内径の前記内面内に切削された環状溝を含む、請求項１に記載の製品。
【請求項６】
前記軸受は、車両のターボチャージャーの構成部品である、請求項１に記載の
製品。
【請求項７】
前記ダム領域の軸方向長さは、前記軸受の軸方向長さの４０％〜８０％である、請求項１に記載の製品。
【請求項８】
前記流体膜は、油を含む、請求項２に記載の製品。
【請求項９】
前記軸受は、前記内径の前記内面に沿って１２０度の間隔で環状に離隔された３つのダム領域を含む、請求項１に記載の製品。
【請求項１０】
前記軸受は、円筒状形状を含む、請求項１に記載の製品。
【請求項１１】
方法であって、
ローター、内面を含む内径と外面を含む外径を有する軸受の縦軸に沿って形成された軸方向チャネル及び前記チャネルの前記内径の前記内面上に形成された少なくとも１つのダム領域を含む軸受であって、前記ダム領域が前記チャネルの前記縦軸を中心に９０度〜１８０度の変形された三日月形を含む、軸受、及び前記ローターと前記軸受との間の流体膜を含む、軸受アセンブリを提供するステップと、
前記ダム領域が軸方向流体膜流動変形を提供するように前記軸受内で前記ローターを回転させるステップと、を含む方法。
【請求項１２】
前記軸受は、半浮動式軸受を含む、請求項１に記載の方法。
【請求項１３】
前記軸受は、全浮動式軸受を含む、請求項１に記載の方法。
【請求項１４】
前記ダム領域は、前記内径の前記内面内に切削された環状溝を含む、請求項１に記載の方法。
【請求項１５】
前記軸受は、車両のターボチャージャーの構成部品である、請求項１に記載の方法。
【国際調査報告】
2019504974.tif 000011
2019504974.tif 000012